(57)【要約】【課題】十分な遮光性能を確保できるフォーカルプレーンシャッタおよびカメラを提供する。【解決手段】露光時の遮光羽根１３１，１４１の動きによって、先幕ガイド板１５０および後幕ガイド板１６０で遮光羽根１３１，１４１を光軸方向に向かって押さえつけるように構成した。また、先幕ガイド板１５０および後幕ガイド板１６０で光軸方向に向かって押さえつけた遮光羽根１３１，１４１をリセット時の遮光羽根１３１，１４１の動きによって解放するように構成した。これにより、遮光羽根１３１，１４１が停止する際のばたつきや泳ぎを抑制できるとともに、遮光羽根１３１，１４１がリセット時に上昇する際の摩擦抵抗によるエネルギーロスが僅かで済む。したがって、動作動力の増大や高速動作性能の低下といった悪影響を及ぼすことなく、十分な遮光性能を確保でき、撮像した画像の画質を向上できる。【選択図】図２
2008145651.tif 000002
【特許請求の範囲】
【請求項１】
撮影開口に入射する被写体光の光軸と略直交する方向に走行して、前記撮影開口を開放および遮光するシャッタ羽根と、
露光時の前記シャッタ羽根の動きによって前記シャッタ羽根を前記光軸方向に向かって押さえつけ、前記光軸方向に向かって押さえつけた前記シャッタ羽根を復帰時の前記シャッタ羽根の動きによって解放する押さえつけ部材とを備えることを特徴とするシャッタ装置。
【請求項２】
請求項１に記載のシャッタ装置において、
前記押さえつけ部材は、露光時の前記シャッタ羽根の動きによって走行方向に移動するとともに前記シャッタ羽根を前記光軸方向に向かって押さえつけることを特徴とするシャッタ装置。
【請求項３】
請求項１または請求項2に記載のシャッタ装置において、
前記押さえつけ部材は、走行する前記シャッタ羽根の動きを前記光軸方向の動きに変換する変換部を有することを特徴とするシャッタ装置。
【請求項４】
請求項３に記載のシャッタ装置において、
前記シャッタ羽根が前記光軸と略直交する方向に走行する際に、前記シャッタ羽根を案内する案内部材をさらに備え、
前記押さえつけ部材は、前記案内部材に設けられていることを特徴とするシャッタ装置。
【請求項５】
請求項４に記載のシャッタ装置において、
前記押さえつけ部材は、走行する前記シャッタ羽根の走行方向の前方端と当接して前記シャッタ羽根とともに前記光軸と略直交する方向に移動する当接部と、前記シャッタ羽根を前記光軸方向に向かって押さえつけるように押圧する押圧部とを有し、
前記変換部は、前記前方端と当接した前記当接部が前記光軸と略直交する方向に移動する動きを、前記押圧部が前記シャッタ羽根を前記光軸方向に向かって押さえつけるように押圧する動きに変えることを特徴とするシャッタ装置。
【請求項６】
請求項５に記載のシャッタ装置において、
前記押さえつけ部材は、露光時の前記シャッタ羽根の走行方向とは反対の方向に向かって前記当接部を付勢する付勢部をさらに有することを特徴とするシャッタ装置。
【請求項７】
請求項６に記載のシャッタ装置において、
前記変換部は、前記付勢部の付勢力による前記当接部の前記反対の方向への動きを、押圧部が前記シャッタ羽根を解放する動きに変えることを特徴とするシャッタ装置。
【請求項８】
請求項１〜７のいずれか一項に記載のシャッタ装置において、
前記シャッタ羽根は、露光時に最初に走行して前記撮影開口を開放する先幕シャッタ羽根と、露光時に前記先幕シャッタ羽根が走行を開始した後から走行を開始して前記撮影開口を遮光する後幕シャッタ羽根とを有し、
前記押さえつけ部材は、前記先幕シャッタ羽根および後幕シャッタ羽根のうちの少なくとも前記先幕シャッタ羽根を前記光軸方向に向かって押さえつけるように少なくとも１つ設けられていることを特徴とするシャッタ装置。
【請求項９】
請求項１〜８のいずれか一項に記載のシャッタ装置において、
前記シャッタ羽根を前記光軸と略直交する方向に走行させるための走行機構をさらに備え、
前記シャッタ羽根は、走行方向および前記光軸方向とは直交する方向に沿った一方端が前記走行機構に連結され、他方端が前記押さえつけ部材によって前記光軸方向に向かって押さえつけられることを特徴とするシャッタ装置。
【請求項１０】
請求項１〜９のいずれか一項に記載のシャッタ装置を備えることを特徴とするカメラ。
【発明の詳細な説明】
【技術分野】
【０００１】
本発明は、被写体光を導く撮影開口を開放および遮光するシャッタ装置およびカメラの技術に関する。
【背景技術】
【０００２】
フォーカルプレーンシャッタでは、シャッタ羽根が高速で走行するため、走行したシャッタ羽根が停止する際に走行方向へバウンドしたり、被写体光の入射光軸方向へ向かって波打ったりするなどの現象が生じ易い。このような現象が生じると重なり合ったシャッタ羽根の隙間から漏光するため、撮像された画像が悪影響を受けてしまう。
【０００３】
このような現象を防止するため、押さえ板によってシャッタ羽根を常時押さえつけるフォーカルプレーンシャッタが知られている（特許文献１参照）。また、シャッタ羽根が取り付けられたアームの軸端をガイド部に摺接させてシャッタ羽根のブレーキ効果を持たせるように構成したフォーカルプレーンシャッタが知られている（特許文献２参照）。
【０００４】
【特許文献１】特開平１０−１６１１８２号公報
【特許文献２】特開平９−１７９１６７号公報
【発明の開示】
【発明が解決しようとする課題】
【０００５】
しかし、従来のフォーカルプレーンシャッタでは、シャッタ羽根が停止する際だけでなく、停止後再び逆方向に走行し始めるときにもシャッタ羽根やアームの軸端に負荷が掛かっているため、消費電力の増大や高速連写性能の低下が懸念される。
【課題を解決するための手段】
【０００６】
（１）  請求項１の発明によるシャッタ装置は、撮影開口に入射する被写体光の光軸と略直交する方向に走行して、撮影開口を開放および遮光するシャッタ羽根と、露光時のシャッタ羽根の動きによってシャッタ羽根を光軸方向に向かって押さえつけ、光軸方向に向かって押さえつけたシャッタ羽根を復帰時のシャッタ羽根の動きによって解放する押さえつけ部材とを備えることを特徴とする。
（２）  請求項２の発明は、請求項１に記載のシャッタ装置において、押さえつけ部材は、露光時のシャッタ羽根の動きによって走行方向に移動するとともにシャッタ羽根を光軸方向に向かって押さえつけることを特徴とする。
（３）  請求項３の発明は、請求項１または請求項2に記載のシャッタ装置において、押さえつけ部材は、走行するシャッタ羽根の動きを光軸方向の動きに変換する変換部を有することを特徴とする。
（４）  請求項４の発明は、請求項３に記載のシャッタ装置において、シャッタ羽根が光軸と略直交する方向に走行する際に、シャッタ羽根を案内する案内部材をさらに備え、押さえつけ部材は、案内部材に設けられていることを特徴とする。
（５）  請求項５の発明は、請求項４に記載のシャッタ装置において、押さえつけ部材は、走行するシャッタ羽根の走行方向の前方端と当接してシャッタ羽根とともに光軸と略直交する方向に移動する当接部と、シャッタ羽根を光軸方向に向かって押さえつけるように押圧する押圧部とを有し、変換部は、前方端と当接した当接部が光軸と略直交する方向に移動する動きを、押圧部がシャッタ羽根を光軸方向に向かって押さえつけるように押圧する動きに変えることを特徴とする。
（６）  請求項６の発明は、請求項５に記載のシャッタ装置において、押さえつけ部材は、露光時のシャッタ羽根の走行方向とは反対の方向に向かって当接部を付勢する付勢部をさらに有することを特徴とする。
（７）  請求項７の発明は、請求項６に記載のシャッタ装置において、変換部は、付勢部の付勢力による当接部の反対の方向への動きを、押圧部がシャッタ羽根を解放する動きに変えることを特徴とする。
（８）  請求項８の発明は、請求項１〜７のいずれか一項に記載のシャッタ装置において、シャッタ羽根は、露光時に最初に走行して撮影開口を開放する先幕シャッタ羽根と、露光時に先幕シャッタ羽根が走行を開始した後から走行を開始して撮影開口を遮光する後幕シャッタ羽根とを有し、押さえつけ部材は、先幕シャッタ羽根および後幕シャッタ羽根のうちの少なくとも先幕シャッタ羽根を光軸方向に向かって押さえつけるように少なくとも１つ設けられていることを特徴とする。
（９）  請求項９の発明は、請求項１〜８のいずれか一項に記載のシャッタ装置において、シャッタ羽根を光軸と略直交する方向に走行させるための走行機構をさらに備え、シャッタ羽根は、走行方向および光軸方向とは直交する方向に沿った一方端が走行機構に連結され、他方端が押さえつけ部材によって光軸方向に向かって押さえつけられることを特徴とする。
（１０）  請求項１０の発明によるカメラは、請求項１〜９のいずれか一項に記載のシャッタ装置を備えることを特徴とする。
【発明の効果】
【０００７】
請求項１の発明によれば、動作動力の増大や高速動作性能の低下といった悪影響を及ぼすことなく、十分な遮光性能を確保できる。
請求項１０の発明によれば、消費電力や高速連写性能に悪影響を及ぼすことなく、十分な遮光性能を確保でき、撮像される画像の画質を向上できる。
【発明を実施するための最良の形態】
【０００８】
−−−第１の実施の形態−−−
図１〜１０を参照して、本発明によるシャッタ装置およびカメラを電子カメラに適用した第１の実施の形態を説明する。図１は本実施形態におけるデジタルスチルカメラを側面から見た断面図である。なお、説明の便宜上、各図に示すように前後左右および上下方向を規定する。左右方向については、デジタルスチルカメラを正面から見たときの左右方向と一致するように規定する。このデジタルスチルカメラＣＡはレンズ交換式の一眼レフタイプであり、撮影レンズＬを有する交換レンズＬＢがレンズマウント２１を介してカメラ本体ＣＢに装着される。撮影レンズＬを透過した撮影光束は、レンズマウント２１の開口２１ａを通ってカメラ本体ＣＢ内に導かれ、ミラー２２で反射されてファインダスクリーン２３上に結像され、ペンタプリズム２４，接眼レンズ２５を介して観察される。
【０００９】
レリーズ操作がなされると、ミラー２２が跳ね上げられて撮影光路から退避し、続いてシャッタ装置であるフォーカルプレーンシャッタ１００が駆動され、撮影レンズＬの透過光束は、光学フィルタ２０１を介してＣＣＤなどの撮像素子２５０に入射する。撮像素子２５０の光電変換出力は、不図示の画像処理回路にて種々の処理が施され、デジタル画像データが生成される。撮像素子２５０およびフィルタ２０１は、予め撮像ユニットＵＮとして一体化されている。なお、撮像素子２５０には、ＣＣＤ以外の撮像素子（例えば、ＣＭＯＳ）を用いてもよい。
【００１０】
図２は、フォーカルプレーンシャッタ１００をカメラボディＣＢの斜め後方から見たときの分解図である。フォーカルプレーンシャッタ１００は、シャッタ地板１１０と、シャッタカバー１２０と、中間板１０１と、先幕遮光羽根部１３０と、後幕遮光羽根部１４０と、先幕ガイド板１５０と、後幕ガイド板１６０とを備えている。なお、フォーカルプレーンシャッタ１００がカメラボディＣＢに取り付けられた状態では、フォーカルプレーンシャッタ１００の前面には、不図示の駆動機構によって駆動される不図示の先幕駆動レバーおよび後幕駆動レバーが配設される。先幕駆動レバーは先幕遮光羽根部１３０を駆動し、後幕駆動レバーは後幕遮光羽根部１４０を駆動する。
【００１１】
シャッタ地板１１０は、フォーカルプレーンシャッタ１００を構成する各部品が配設される基板である。シャッタ地板１１０には、撮像素子２５０に被写体像を導く撮影開口１１１と、長穴１１２，１１３とが設けられている。撮影開口１１１は、略矩形形状を呈しており、上下方向の長さよりも、左右方向の長さの方が長い。
【００１２】
シャッタカバー１２０は、シャッタ地板１１０の後面側に取り付けられた板状の部材である。シャッタカバー１２０には、開口部１２１と、長穴１２２，１２３とが設けられている。中間板１０１は、シャッタ地板１１０とシャッタカバー１２０との間に設けられた板状の部材であり、撮影開口１１１や開口部１２１に対応するように開口部１０２が設けられている。中間板１０１には、後述する先幕ガイド板１５０および後幕ガイド板１６０が取り付けられる。
【００１３】
先幕遮光羽根部１３０は、３枚の先幕遮光羽根１３１と、先幕主アーム１３２と、先幕従動アーム１３３とを備えている。後幕遮光羽根部１４０は、３枚の後幕遮光羽根１４１と、後幕主アーム１４２と、後幕従動アーム１４３とを備えている。先幕遮光羽根部１３０は中間板１０１の前方に、後幕遮光羽根部１４０は中間板１０１の後方にそれぞれ配設される。各アーム１３２，１３３，１４２，１４３は、シャッタ地板１１０の後面で回動可能に軸支されている。先幕主アーム１３２および先幕従動アーム１３３には、かしめピンによって３枚の先幕遮光羽根１３１が回動可能に取り付けられている。同様に、後幕主アーム１４２および後幕従動アーム１４３には、かしめピンによって３枚の後幕遮光羽根１４１が回動可能に取り付けられている。
【００１４】
先幕主アーム１３２および先幕従動アーム１３３によって公知のリンク機構が構成されているので、先幕主アーム１３２および先幕従動アーム１３３がシャッタ地板１１０に対して回転駆動されると、３枚の先幕遮光羽根１３１が撮影開口１１１の後方で上下方向に移動するように連動して駆動される。同様に、後幕主アーム１４２および後幕従動アーム１４３がシャッタ地板１１０に対して回転駆動されると、３枚の後幕遮光羽根１４１が撮影開口１１１の後方で上下方向に移動するように連動して駆動される。すなわち、各アーム１３２，１３３，１４２，１４３は、遮光羽根１３１，１４１を光軸と略直交する方向に走行させるための走行機構である。
【００１５】
先幕主アーム１３２および後幕主アーム１４２には、穴１３２ａ，１４２ａが設けられ、シャッタ地板１１０の長穴１１２，１１３を貫通した不図示の先幕駆動レバーおよび後幕駆動レバーのピンが正面側から挿入される。穴１３２ａに嵌合する先幕駆動レバーのピンが長穴１１２に沿って駆動されると、先幕主アーム１３２がシャッタ地板１１０に対して回転駆動されるので、上述のように、先幕遮光羽根１３１が連動して駆動される。同様に、穴１４２ａに嵌合する後幕駆動レバーのピンが長穴１１３に沿って駆動されると、後幕主アーム１４２がシャッタ地板１１０に対して回転駆動されるので、上述のように、後幕遮光羽根１４１が連動して駆動される。
【００１６】
レリーズ前には、先幕遮光羽根１３１は撮影開口１１１を遮光し、後幕遮光羽根１４１は撮影開口１１１の上方に格納されている。不図示のレリーズボタンが押圧されると、先幕遮光羽根１３１が下方に向かって走行して、撮影開口１１１を開放する。先幕遮光羽根１３１の走行開始から所定時間経過後に後幕遮光羽根１４１が下方に向かって走行を開始して撮影開口１１１を遮光する。図２は、レリーズ後に先幕遮光羽根１３１および後幕遮光羽根１４１が下方に向かって走行して、後幕遮光羽根１４１が撮影開口１１１を遮光した状態を示している。
【００１７】
図３は、先幕ガイド板１５０および先幕遮光羽根部１３０のみを示した分解図である。なお、図３では、先幕遮光羽根１３１は下方に向かって走行した後に停止した状態を示している。先幕ガイド板１５０は、中間板１０１の前面右側端部近傍に固定される板状部材であり、走行する先幕遮光羽根１３１の右側端部を案内するとともに、後述するように下方に向かって走行した先幕遮光羽根１３１を光軸方向に沿って後方へ押圧する。先幕ガイド板１５０は、上下方向に延在するガイド部１５１と、中間板１０１の前面に取り付けられる取付部１５２と、ガイド部１５１の下部に設けられて、下方に向かって走行した先幕遮光羽根１３１を後方に向かって押圧する押圧部１５３とを有する。
【００１８】
ガイド部１５１は、上下方向に延在する略平面をなすように形成されている。取付部１５２は、ガイド部１５１から分岐するように設けられた部位であり、下端がガイド部１５１と接続されてガイド部１５１と同一平面に位置し、下端から上方に向かって斜め後方へ湾曲するように上下方向に延在している。取付部１５２の上端１５２ａは下方に向かって折り曲げられている。取付部１５２は先幕ガイド板１５０の上部および下部の２箇所に設けられている。
【００１９】
押圧部１５３は、ガイド部１５１の下部に設けられた部位であり、下方に向かって走行した先幕遮光羽根１３１の下端が当接する当接部１５３ａと、下方に向かって走行した先幕遮光羽根１３１を光軸方向に沿って後方へ押圧する押圧面１５３ｂとを有する。当接部１５３ａは、ガイド部１５１の下端を上方に向かって折り曲げた部位であり、図３の矢印ａで示すように下方に向かって走行した先幕遮光羽根１３１の下端、すなわち、先幕遮光羽根１３１の走行方向の前方端を受けるように形成されている。押圧面１５３ｂは、ガイド部１５１と略同一平面をなす部位である。先幕ガイド板１５０における当接部１５３ａの上下方向の位置は、取付部１５２で中間板１０１に取り付けられた際に、下方に向かって走行した先幕遮光羽根１３１の下端の停止位置よりもやや上方となるように設定されている。
【００２０】
図４は、後幕ガイド板１６０および後幕遮光羽根部１４０のみを示した分解図である。なお、図４では、後幕遮光羽根１４１は下方に向かって走行した後に停止した状態を示している。後幕ガイド板１６０は、中間板１０１の後面右側端部近傍に固定される板状部材であり、走行する後幕遮光羽根１４１の右側端部を案内するとともに、後述するように下方に向かって走行した後幕遮光羽根１４１を光軸方向に沿って前方へ押圧する。後幕ガイド板１６０は、上下方向に延在するガイド部１６１と、中間板１０１の後面に取り付けられる取付部１６２と、ガイド部１６１の上下方向中央付近に設けられて、下方に向かって走行した後幕遮光羽根１４１を前方に向かって押圧する押圧部１６３とを有する。
【００２１】
ガイド部１６１は、上下方向に延在する略平面をなすように形成されている。取付部１６２は、ガイド部１６１から分岐するように設けられた部位であり、下端がガイド部１６１と接続されてガイド部１６１と同一平面に位置し、下端から上方に向かって斜め前方へ湾曲するように上下方向に延在している。取付部１６２の上端１６２ａは下方に向かって折り曲げられている。取付部１６２は後幕ガイド板１６０の上部および下部の２箇所に設けられている。
【００２２】
押圧部１６３は、ガイド部１６１の上下方向中央付近に設けられた部位であり、下方に向かって走行した後幕遮光羽根１４１の下端が当接する当接部１６３ａと、下方に向かって走行して、撮影開口１１１を遮光した後幕遮光羽根１４１を光軸方向に沿って前方へ押圧する押圧面１６３ｂとを有する。押圧面１６３ｂは、撮影開口１１１を遮光する後幕遮光羽根１４１の右端部分と対向する部分である。当接部１６３ａは、押圧面１６３ｂの下端を上方に向かって折り曲げた部位であり、図４の矢印ｂで示すように下方に向かって走行した後幕遮光羽根１４１の下端を受けるように形成されている。後幕ガイド板１６０における当接部１６３ａの上下方向の位置は、取付部１６２で中間板１０１に取り付けられた際に、下方に向かって走行した後幕遮光羽根１４１の下端の停止位置よりもやや上方となるように設定されている。
【００２３】
なお、各ガイド板１５０，１６０は、取付部１５２，１６２の形状や、押圧部１５３，１６３の有無などの相違点があるものの、走行する遮光羽根の端部を案内するために従来のフォーカルプレーンシャッタに設けられているガイド板と同様の部材である。
【００２４】
−−−先幕ガイド板１５０の動きについて−−−
図５〜７を参照して、先幕ガイド板１５０の動きを説明する。図５は、レリーズ前のフォーカルプレーンシャッタ１００の内部を前方から見た図である。説明の便宜上、図５では、後幕遮光羽根部１４０および後幕ガイド板１６０の記載を省略している。３枚の先幕遮光羽根１３１のうち、撮影開口１１１の遮光時に最も下方に位置する羽根を先幕遮光第１羽根１３１ａと呼ぶ。また、撮影開口１１１の遮光時に下から２番目に位置する羽根を先幕遮光第２羽根１３１ｂと呼び、最も上方に位置する羽根を先幕遮光第３羽根１３１ｃと呼ぶ。図５において１０３は、先幕ガイド板１５０の取付部１５２の上端１５２ａが係止される、中間板１０１に設けられた係止部である。
【００２５】
上述したように、レリーズ前には、先幕遮光羽根１３１は撮影開口１１１を遮光し、後幕遮光羽根１４１は撮影開口１１１の上方に格納されている。先幕遮光第１羽根１３１ａの下端は先幕ガイド板１５０の当接部１５３ａと離間している。図６（ａ）は、右側から見た、レリーズ前の先幕ガイド板１５０の下部近傍を模式的に示した図である。上述したように、先幕ガイド板１５０の取付部１５２が上方に向かって斜め後方へ湾曲しているので、上端１５２ａが中間板１０１の係止部１０３に係止されると、先幕ガイド板１５０のガイド部１５１は中間板１０１から前方に向かって離間する。
【００２６】
不図示のレリーズボタンが押圧されると、不図示の先幕駆動レバーが図５における図示時計方向に回動される。これにより、上述したように先幕遮光羽根１３１が下方に向かって走行して、撮影開口１１１を開放する。先幕遮光羽根１３１は下方に向かって走行する際に、右端が先幕ガイド板１５０のガイド部１５１で案内されて前方への移動が規制される。上述したように、当接部１５３ａの上下方向の位置が、下方に向かって走行した先幕遮光羽根１３１の下端の停止位置よりもやや上方となるように設定されているので、先幕遮光羽根１３１が下方に向かって走行すると、停止直前に先幕遮光第１羽根１３１ａの下端部が当接部１５３ａと当接する。
【００２７】
図６（ｂ）は、右側から見た、先幕遮光第１羽根１３１ａの下端部と当接部１５３ａとが当接する直前の先幕ガイド板１５０の下部近傍を模式的に示した図である。図６（ｃ）は、右側から見た、先幕遮光第１羽根１３１ａの下端部と当接部１５３ａとが当接した後の先幕ガイド板１５０の下部近傍を模式的に示した図である。先幕遮光第１羽根１３１ａの下端部が当接部１５３ａと当接すると、先幕遮光第１羽根１３１ａは、下端部で当接部１５３ａを下方に押圧する。
【００２８】
上端１５２ａが中間板１０１の係止部１０３に係止されているので、当接部１５３ａが先幕遮光第１羽根１３１ａによって下方に押圧されると、取付部１５２が弾性的に変形して、図６（ｃ）の矢印Ｃ１で示すように先幕ガイド板１５０の下方への移動を許容する。換言すると、取付部１５２は、先幕ガイド板１５０を露光時の先幕遮光羽根１３１の走行方向とは反対の方向（上方向）へ付勢する付勢部に該当する。
【００２９】
このとき先幕ガイド板１５０は後方へも移動するため、先幕ガイド板１５０は矢印Ｃ２で示すように下方かつ後方へ移動する。この先幕ガイド板１５０の動きによって、押圧面１５３ｂは先幕遮光羽根１３１を矢印Ｃ３で示すように後方に押圧する。すなわち、先幕ガイド板１５０は、露光時の先幕遮光羽根１３１の動きによって先幕遮光羽根１３１の走行方向に移動するとともに先幕遮光羽根１３１を光軸方向（後方）に向かって押さえつける。このように、取付部１５２は、走行する先幕遮光羽根１３１の動きを先幕ガイド板１５０の光軸方向への動きに変換している。
【００３０】
先幕ガイド板１５０の後方へ移動量は、先幕遮光第１羽根１３１ａが当接部１５３ａに当接した後、停止直前位置まで走行したときに初めて３枚の先幕遮光羽根１３１が押圧面１５３ｂと中間板１０１の前面との間で挟持されるように設定されている。そのため、先幕遮光羽根１３１が下方へ走行する際、押圧面１５３ｂと中間板１０１の前面との間で挟持されることによる摩擦抵抗は先幕遮光羽根１３１の停止直前まで先幕遮光羽根１３１には作用しない。しかし、先幕遮光第１羽根１３１ａが当接部１５３ａを下方に向かって押圧する際に、取付部１５２の弾性力による反力を受けるので、停止時の衝撃力が吸収されることとなる。また、先幕遮光羽根１３１が停止位置まで走行すると押圧面１５３ｂと中間板１０１の前面との間で挟持されることによる摩擦抵抗が、先幕遮光羽根１３１に作用する。
【００３１】
この衝撃力の吸収作用および摩擦作用によって、先幕遮光羽根１３１が停止された際の上下方向のバウンド（ばたつき）が抑制されるので、露光時に悪影響を及ぼすことがない。このように、中間板１０１および先幕ガイド板１５０が、下方に向かって走行する先幕遮光羽根１３１を停止させるブレーキの役割を果たす。なお、先幕遮光羽根１３１の停止時の衝撃力を効率よく吸収するように、取付部１５２の弾性力による反力が適宜設定されていることが望ましい。
【００３２】
さらに、先幕遮光羽根１３１が後方に向かって押圧されるので、先幕遮光羽根１３１の前後方向への振動（泳ぎ）も抑制されて、先幕遮光羽根１３１の擦れや傷つき、摩耗粉塵の発生といった不具合が抑制される。なお、取付部１５２の変形によって先幕ガイド板１５０が光軸方向後方へ移動すると、その反作用として中間板１０１には光軸方向前方に移動する力が作用する。したがって、先幕ガイド板１５０で先幕遮光羽根１３１を後方に向かって押圧しても、中間板１０１が後方に移動して後幕遮光羽根１４１の走行通路を狭めてしまう、ということがない。
【００３３】
なお、従来のフォーカルプレーンシャッタには、羽根の走行方向に沿って徐々に光軸方向の間隙を狭めたブレーキ用の部材を用いて、走行する遮光羽根を挟み込むことで遮光羽根にブレーキを掛けるようにしているものがある。しかし、従来のフォーカルプレーンシャッタでは、ブレーキ用の部材で遮光羽根を徐々に挟み込むようにしているため、ブレーキ用の部材と遮光羽根、および、遮光羽根同士の擦れが遮光羽根の走行方向に沿った長い距離で発生する。
【００３４】
これに対して本実施の形態のフォーカルプレーンシャッタ１００では、押圧面１５３ｂや中間板１０１と先幕遮光羽根１３１、および先幕遮光羽根１３１同士の擦れが生じるものの、先幕遮光羽根１３１が停止する直前の僅かな距離で発生するだけである。また、先幕遮光第１羽根１３１ａと押圧部１５３との間では、先幕遮光第１羽根１３１ａの下端部が当接部１５３ａと当接して先幕遮光第１羽根１３１ａとともに押圧部１５３も下方に移動するので、上下方向の擦れは生じない。そのため、本実施の形態のフォーカルプレーンシャッタ１００では、従来のフォーカルプレーンシャッタと比較して擦れが生じる距離が非常に少ない。
【００３５】
図６（ｄ）は、先幕遮光羽根１３１が最も下方まで移動して停止したときの先幕ガイド板１５０の下部近傍を右側から見たときの模式図である。図７は、図６（ｄ）と同じ状態のフォーカルプレーンシャッタ１００の内部を前方から見た図である。説明の便宜上、図７では、後幕遮光羽根部１４０および後幕ガイド板１６０の記載を省略している。先幕遮光羽根１３１が最も下方まで移動すると、上述したように、先幕遮光羽根１３１が押圧面１５３ｂと中間板１０１の前面との間で挟持された状態で保持される。
【００３６】
先幕遮光羽根１３１に続いて後幕遮光羽根１４１が走行を開始して、撮影開口１１１を遮蔽する。これにより、撮影開口１１１が所定時間だけ開放される。その間、撮影レンズＬの透過光束が光学フィルタ２０１を介して撮像素子２５０に入射し、被写体像が撮像される。
【００３７】
撮像素子２５０による被写体像の撮像後、シャッタチャージ動作を含むリセット動作が開始される。リセット動作が開始されると、不図示の駆動モータの駆動力によって不図示の先幕駆動レバーおよび後幕駆動レバーが図７における図示反時計方向に回動される。これにより、先幕主アーム１３２および後幕主アーム１４２が図示反時計方向に回動されて、先幕遮光羽根１３１および後幕遮光羽根１４１が上方に向かって走行を開始する。
【００３８】
先幕遮光羽根１３１が僅かに上方に移動すると、取付部１５２の弾性力によって先幕ガイド板１５０が前方に移動しながら上方に移動する。すなわち、先幕遮光羽根１３１が僅かに上方に移動するだけで、先幕遮光羽根１３１の右側端部を中間板１０１に向かって押圧していた押圧面１５３ｂが前方へ移動して、押圧面１５３ｂと中間板１０１とによる先幕遮光羽根１３１の挟持から先幕遮光羽根１３１を解放する。取付部１５２は、弾性力による上方への動きを、押圧面１５３ｂが先幕遮光羽根１３１を開放する動きに変換している。
【００３９】
これにより、押圧面１５３ｂで後方に押さえ込まれていたことにより先幕遮光羽根１３１に対して作用していた摩擦抵抗がなくなるので、先幕遮光羽根１３１は容易に上方へ移動できる。また、取付部１５２の弾性力によって先幕ガイド板１５０が前方に移動するので、先幕遮光羽根１３１の走行通路を確実に確保できる。なお、取付部１５２の弾性力が露光時の先幕遮光羽根１３１の走行方向とは反対の方向に向けて、すなわち、先幕遮光羽根１３１のチャージ方向でもある上方へ向けて、先幕ガイド板１５０を付勢しているので、シャッタチャージ時に余計な負荷を与えない。
【００４０】
従来のフォーカルプレーンシャッタでは、上述したようにブレーキ用の部材で遮光羽根を挟み込むようにしているため、先幕遮光羽根がリセット時に上昇する際にも、遮光羽根の走行方向に沿った長い距離でブレーキ用の部材による摩擦抵抗が生じていた。これに対して本実施の形態のフォーカルプレーンシャッタ１００では、上述したように先幕遮光羽根１３１が僅かに上方に移動するだけで、押圧面１５３ｂと中間板１０１とによる先幕遮光羽根１３１の挟持から先幕遮光羽根１３１が解放される。そのため、先幕遮光羽根１３１がリセット時に上昇する際の摩擦抵抗によるエネルギーロスが僅かで済む。
【００４１】
このように、先幕ガイド板１５０は、走行する先幕遮光羽根１３１の右端を案内するとともに、下方に向かって走行する先幕遮光羽根１３１を停止させるブレーキの役割を果たす他、先幕遮光羽根１３１のばたつきや泳ぎを抑制する。
【００４２】
−−−後幕ガイド板１６０の動きについて−−−
図８〜１０を参照して、後幕ガイド板１６０の動きを説明する。なお、後幕ガイド板１６０の動きは、先幕ガイド板１５０の動きと同様である。図８は、レリーズ前のフォーカルプレーンシャッタ１００の内部を前方から見た図であり、図９は、レリーズ後リセット開始前のフォーカルプレーンシャッタ１００の内部を前方から見た図である。説明の便宜上、図８，９では、先幕遮光羽根部１３０および先幕ガイド板１５０の記載を省略している。３枚の後幕遮光羽根１４１のうち、撮影開口１１１の遮光時に最も下方に位置する羽根を後幕遮光第１羽根１４１ａと呼ぶ。また、撮影開口１１１の遮光時に下から２番目に位置する羽根を後幕遮光第２羽根１４１ｂと呼び、最も上方に位置する羽根を後幕遮光第３羽根１４１ｃと呼ぶ。図８，９において１０４は、後幕ガイド板１６０の取付部１６２の上端１６２ａが係止される、中間板１０１に設けられた係止部である。
【００４３】
上述したように、レリーズ前には、先幕遮光羽根１３１は撮影開口１１１を遮光し、後幕遮光羽根１４１は撮影開口１１１の上方に格納されている。後幕遮光第１羽根１４１ａの下端は後幕ガイド板１６０の当接部１６３ａと離間している。上述したように、取付部１６２が上方に向かって斜め後方へ湾曲しているので、先幕ガイド板１５０の場合と同様に、上端１６２ａが中間板１０１の係止部１０４に係止されると、ガイド部１６１は中間板１０１から後方に向かって離間する。
【００４４】
不図示のレリーズボタンが押圧されると、先幕駆動レバーに続いて不図示の後幕駆動レバーが図８における図示時計方向に回動される。これにより、上述したように後幕遮光羽根１４１が下方に向かって走行して、撮影開口１１１を遮蔽する。後幕遮光羽根１４１は下方に向かって走行する際に、右端が後幕ガイド板１６０のガイド部１６１で案内されて後方への移動が規制される。上述したように、当接部１６３ａの上下方向の位置が、下方に向かって走行した後幕遮光羽根１４１の下端の停止位置よりもやや上方となるように設定されているので、後幕遮光羽根１４１が下方に向かって走行すると、停止直前に後幕遮光第１羽根１４１ａの下端部が当接部１６３ａと当接する。
【００４５】
図１０（ａ）は、右側から見た、後幕遮光第１羽根１４１ａの下端部と当接部１６３ａとが当接する前の後幕ガイド板１６０の下部近傍を模式的に示した図である。図１０（ｂ）は、右側から見た、後幕遮光第１羽根１４１ａが当接部１６３ａと当接した後、停止する直前の、後幕ガイド板１６０の下部近傍を模式的に示した図である。後幕遮光第１羽根１４１ａの下端部が当接部１６３ａと当接すると、後幕遮光第１羽根１４１ａは、下端部で当接部１６３ａを下方に押圧する。
【００４６】
上端１６２ａが中間板１０１の係止部１０４に係止されているので、当接部１６３ａが後幕遮光第１羽根１４１ａによって下方に押圧されると、取付部１６２が弾性的に変形して、後幕ガイド板１６０の下方への移動を許容する。このとき後幕ガイド板１６０は前方へも移動するため、後幕ガイド板１６０は下方かつ前方へ移動する。すなわち、後幕ガイド板１６０は、露光時の後幕遮光羽根１４１の動きによって後幕遮光羽根１４１の走行方向に移動するとともに後幕遮光羽根１４１を光軸方向（前方）に向かって押さえつける。このように、取付部１６２は、走行する後幕遮光羽根１４１の動きを後幕ガイド板１６０の光軸方向への動きに変換している。
【００４７】
後幕ガイド板１６０の前方へ移動量は、後幕遮光第１羽根１４１ａが当接部１６３ａに当接した後、停止直前位置まで走行したときに初めて３枚の後幕遮光羽根１４１が押圧面１６３ｂと中間板１０１の後面との間で挟持されるように設定されている。そのため、後幕遮光羽根１４１が下方へ走行する際、押圧面１６３ｂと中間板１０１の後面との間で挟持されることによる摩擦抵抗は後幕遮光羽根１４１の停止直前まで後幕遮光羽根１４１には作用しない。しかし、後幕遮光第１羽根１４１ａが当接部１６３ａを下方に向かって押圧する際に、取付部１６２の弾性力による反力を受けるので、停止時の衝撃力が吸収されることとなる。また、後幕遮光羽根１４１が停止位置まで走行すると押圧面１６３ｂと中間板１０１の後面との間で挟持されることによる摩擦抵抗が、後幕遮光羽根１４１に作用する。
【００４８】
この衝撃力の吸収作用および摩擦作用によって、後幕遮光羽根１４１が停止された際の上下方向のバウンド（ばたつき）が抑制されるので、露光後の漏光を防止できる。このように、中間板１０１および後幕ガイド板１６０が、下方に向かって走行する後幕遮光羽根１４１を停止させるブレーキの役割を果たす。さらに、後幕遮光羽根１４１が前方に向かって押圧されるので、後幕遮光羽根１４１の前後方向への振動（泳ぎ）も抑制されて、後幕遮光羽根１４１の擦れや傷つき、摩耗粉塵の発生、漏光といった不具合が抑制される。なお、後幕遮光羽根１４１の停止時の衝撃力を効率よく吸収するように、取付部１６２の弾性力による反力が適宜設定されていることが望ましい。
【００４９】
撮像素子２５０による被写体像の撮像後、シャッタチャージ動作を含むリセット動作が開始される。リセット動作が開始されると、上述したように後幕遮光羽根１４１が上方に向かって走行を開始する。
【００５０】
後幕遮光羽根１４１が僅かに上方に移動すると、取付部１６２の弾性力によって後幕ガイド板１６０が後方に移動しながら上方に移動する。すなわち、後幕遮光羽根１４１が僅かに上方に移動するだけで、後幕遮光羽根１４１の右側端部を中間板１０１に向かって押圧していた押圧面１６３ｂが後方へ移動して、押圧面１６３ｂと中間板１０１とによる後幕遮光羽根１４１の挟持から後幕遮光羽根１４１を解放する。これにより、押圧面１６３ｂで前方に押さえ込まれていたことにより後幕遮光羽根１４１に対して作用していた摩擦抵抗がなくなるので、後幕遮光羽根１４１は容易に上方へ移動できる。また、取付部１６２の弾性力によって後幕ガイド板１６０が後方に移動するので、後幕遮光羽根１４１を確実に確保できる。なお、取付部１６２の弾性力が後幕遮光羽根１４１のチャージ方向でもある上方へ向けて、後幕ガイド板１６０を付勢しているので、シャッタチャージ時に余計な負荷を与えない。
【００５１】
このように、後幕ガイド板１６０は、走行する後幕遮光羽根１４１の右端を案内するとともに、下方に向かって走行する後幕遮光羽根１４１を停止させるブレーキの役割を果たす他、後幕遮光羽根１４１のばたつきや泳ぎを抑制する。
【００５２】
上述したデジタルスチルカメラでは、次の作用効果を奏する。
（１）  露光時の遮光羽根１３１，１４１の動きによって、先幕ガイド板１５０および後幕ガイド板１６０で遮光羽根１３１，１４１を光軸方向に向かって押さえつけるように構成した。また、先幕ガイド板１５０および後幕ガイド板１６０で光軸方向に向かって押さえつけた遮光羽根１３１，１４１をリセット時の遮光羽根１３１，１４１の動きによって解放するように構成した。これにより、露光走行時の遮光羽根１３１，１４１の走行空間を確実に確保でき、遮光羽根１３１，１４１が停止する際のばたつきや泳ぎを抑制できるとともに、遮光羽根１３１，１４１がリセット時に上昇する際の摩擦抵抗によるエネルギーロスが僅かで済む。したがって、動作動力の増大や高速動作性能の低下といった悪影響を及ぼすことなく、十分な遮光性能を確保でき、撮像した画像の画質を向上できる。
【００５３】
（２）  先幕ガイド板１５０および後幕ガイド板１６０が、露光時の遮光羽根１３１，１４１の動きによって走行方向に移動するとともに遮光羽根１３１，１４１を光軸方向に向かって押さえつけるように構成した。これにより、先幕ガイド板１５０および後幕ガイド板１６０と遮光羽根１３１，１４１との間の擦れを抑制できるので、耐久性が向上する。また、摩耗粉などの発生が抑制されるので、摩耗粉の画像への写り込みを抑止できる。
【００５４】
（３）  取付部１５２，１６２が、走行する遮光羽根１３１，１４１の動きをガイド板１５０，１６０の光軸方向への動きに変換するように構成した。これにより、簡単な構成で、遮光羽根１３１，１４１を光軸方向に押圧できるので、コスト増が僅かで済み、信頼性も高い。
【００５５】
（４）  従来からあるガイド板を利用して遮光羽根１３１，１４１を光軸方向に押圧するように構成したので、コスト増が僅かで済み、部品点数も増えないので、組み立ても容易である。
【００５６】
（５）  遮光羽根１３１，１４１の走行方向の前方端と当接して遮光羽根１３１，１４１とともに光軸と略直交する方向に移動する当接部１５３ａ，１６３ａと、遮光羽根１３１，１４１を光軸方向に向かって押圧する押圧部１５３，１６３とを備えるようにガイド板１５０，１６０を構成した。また、当接部１５３ａ，１６３ａが光軸と略直交する方向に移動する動きを、押圧部１５３，１６３が遮光羽根１３１，１４１を光軸方向に向かって押圧する動きに変えるように取付部１５２，１６２を構成した。これにより、ガイド板１５０，１６０の構造を単純化でき、ガイド板１５０，１６０の製造コストを抑制できるとともに、動作の信頼性を向上できる。
【００５７】
（６）  遮光羽根１３１，１４１が上方に移動すると、取付部１５２，１６２の弾性力によってガイド板１５０，１６０が上方に移動するように構成した。これにより、遮光羽根１３１，１４１が上方に移動すると、ガイド板１５０，１６０が中間板１０１から離間して元の位置に復帰するので、ガイド板１５０，１６０の復帰用の機構を他に設ける必要がない。したがって、コスト増を抑制でき、フォーカルプレーンシャッタ１００およびカメラボディＣＢの小型化に資する。
【００５８】
（７）  遮光羽根１３１，１４１が上方に移動すると、取付部１５２，１６２の弾性力によってガイド板１５０，１６０が中間板１０１から離間して、挟持していた遮光羽根１３１，１４１を開放するように構成した。これにより、遮光羽根１３１，１４１がリセット時に上昇する際の摩擦抵抗によるエネルギーロスを積極的に低減できる。
【００５９】
（８）  先幕遮光羽根１３１を先幕ガイド板１５０によって光軸方向に押圧するように構成し、後幕遮光羽根１４１を後幕ガイド板１６０によって光軸方向に押圧するように構成した。これにより、先幕遮光羽根１３１および後幕遮光羽根１４１の双方について、ばたつきや泳ぎによる不具合を抑制できるので、十分な遮光性能を確実に確保できる。
【００６０】
（９）  遮光羽根１３１，１４１の、アーム１３２，１３３，１４２，１４３が取り付けられていない右側端部をガイド板１５０，１６０によって光軸方向に押圧するように構成した。これにより、遮光羽根１３１，１４１を直接押圧できるので、遮光羽根１３１，１４１と各アーム１３２，１３３，１４２，１４３との連結部分のがたつきの影響を受けることなく、遮光羽根１３１，１４１の光軸方向の動きを確実に防止でき、遮光性能を確実に確保できる。また、従来のフォーカルプレーンシャッタにおいてガイド板を配設するのと同様にガイド板１５０，１６０を配設できるので、設計変更が少なくて済むほか、配設スペースを新たに確保する必要がないので、フォーカルプレーンシャッタ１００およびカメラボディＣＢの小型化に資する。
【００６１】
−−−第２の実施の形態−−−
図１１，１２を参照して、本発明によるシャッタ装置およびカメラを電子カメラに適用した第２の実施の形態を説明する。以下の説明では、第１の実施の形態と同じ構成要素には同じ符号を付して相違点を主に説明する。特に説明しない点については、第１の実施の形態と同じである。本実施の形態では、主に、遮光羽根部が１組のみである点で、第１の実施の形態と異なる。
【００６２】
図１１は、第２の実施の形態のフォーカルプレーンシャッタ３００をカメラボディＣＢの斜め後方から見たときの分解図である。図１２は、遮光羽根３４１が下方に向かって走行して停止する直前のフォーカルプレーンシャッタ３００を左側から見たときの断面模式図である。フォーカルプレーンシャッタ３００は、シャッタ地板１１０と、シャッタカバー１２０と、遮光羽根部３４０と、第１ガイド板３５０と、第２ガイド板３６０とを備えている。
【００６３】
遮光羽根部３４０は、第１の実施の形態の後幕遮光羽根部１４０と同様の構成であり、３枚の遮光羽根３４１と、主アーム３４２と、従動アーム３４３とを備えている。すなわち、遮光羽根３４１は後幕遮光羽根１４１に対応し、主アーム３４２は後幕主アーム１４２に対応し、従動アーム３４３は後幕従動アーム１４３に対応する。主アーム３４２には、第１の実施の形態の後幕主アーム１４２の穴１４２ａに対応する穴３４２ａが設けられている。３枚の遮光羽根３４１のうち、撮影開口１１１の遮光時に最も下方に位置する羽根を遮光第１羽根３４１ａと呼ぶ。また、撮影開口１１１の遮光時に下から２番目に位置する羽根を遮光第２羽根３４１ｂと呼び、最も上方に位置する羽根を遮光第３羽根３４１ｃと呼ぶ。
【００６４】
レリーズ前には、遮光羽根３４１は撮影開口１１１を遮光する。不図示のレリーズボタンが押圧されると、遮光羽根３４１が上方に向かって走行して、撮影開口１１１を開放する。撮像素子２５０で被写体像が撮像されると、遮光羽根３４１が下方に向かって走行して撮影開口１１１を遮光する。図１１は、遮光羽根３４１が撮影開口１１１を遮光した状態を示している。
【００６５】
第１ガイド板３５０は、シャッタカバー１２０の前面右側端部近傍に固定される板状部材であり、走行する遮光羽根３４１の右側端部を案内するとともに、上方に向かって走行した遮光羽根３４１を光軸方向に沿って後方へ押圧する。第１ガイド板３５０は、上下方向に延在するガイド部３５１と、シャッタカバー１２０の前面に取り付けられる取付部３５２と、ガイド部３５１の上部に設けられて、上方に向かって走行した遮光羽根３４１を後方に向かって押圧する押圧部３５３とを有する。
【００６６】
ガイド部３５１は、上下方向に延在する略平面をなすように形成されている。取付部３５２は、ガイド部３５１から分岐するように設けられた部位であり、上端がガイド部３５１と接続されてガイド部３５１と同一平面に位置し、上端から下方に向かって斜め後方へ湾曲するように上下方向に延在している。取付部３５２の下端３５２ａは上方に向かって折り曲げられている。取付部３５２は第１ガイド板３５０の上部および下部の２箇所に設けられている。図１２において１２５は、取付部３５２の下端３５２ａが係止される、シャッタカバー１２０に設けられた係止部である。
【００６７】
押圧部３５３は、ガイド部３５１の上部に設けられた部位であり、上方に向かって走行した遮光第３羽根３４１ｃの上端が当接する当接部３５３ａと、上方に向かって走行した遮光羽根３４１を光軸方向に沿って後方へ押圧する押圧面３５３ｂとを有する。当接部３５３ａは、ガイド部３５１の上端を下方に向かって折り曲げた部位であり、上方に向かって走行した遮光第３羽根３４１ｃの上端、すなわち、遮光羽根３４１の走行方向の前方端を受けるように形成されている。押圧面３５３ｂは、ガイド部３５１と略同一平面をなす部位である。第１ガイド板３５０における当接部３５３ａの上下方向の位置は、取付部３５２でシャッタカバー１２０に取り付けられた際に、上方に向かって走行した遮光第３羽根３４１ｃの上端の停止位置よりもやや下方となるように設定されている。
【００６８】
第２ガイド板３６０は、シャッタ地板１１０の後面右側端部近傍に固定される板状部材であり、走行する遮光羽根３４１の右側端部を案内するとともに、下方に向かって走行した遮光羽根３４１を光軸方向に沿って前方へ押圧する。第２ガイド板３６０は、上下方向に延在するガイド部３６１と、シャッタ地板１１０の後面に取り付けられる取付部３６２と、ガイド部３６１の上下方向中央付近に設けられて、下方に向かって走行した遮光羽根３４１を前方に向かって押圧する押圧部３６３とを有する。
【００６９】
ガイド部３６１は、上下方向に延在する略平面をなすように形成されている。取付部３６２は、ガイド部３６１から分岐するように設けられた部位であり、下端がガイド部３６１と接続されてガイド部３６１と同一平面に位置し、下端から上方に向かって斜め前方へ湾曲するように上下方向に延在している。取付部３６２の上端３６２ａは下方に向かって折り曲げられている。取付部３６２は第２ガイド板３６０の上部および下部の２箇所に設けられている。図１２において１１５は、取付部３６２の上端３６２ａが係止される、シャッタ地板１１０に設けられた係止部である。
【００７０】
押圧部３６３は、ガイド部３６１の上下方向中央付近に設けられた部位であり、下方に向かって走行した遮光第１羽根３４１ａの下端が当接する当接部３６３ａと、下方に向かって走行して、撮影開口１１１を遮光した遮光羽根３４１を光軸方向に沿って前方へ押圧する押圧面３６３ｂとを有する。押圧面３６３ｂは、撮影開口１１１を遮光する遮光羽根３４１の右端部分と対向する部分である。当接部３６３ａは、押圧面３６３ｂの下端を上方に向かって折り曲げた部位であり、下方に向かって走行した遮光第１羽根３４１ａの下端を受けるように形成されている。第２ガイド板３６０における当接部３６３ａの上下方向の位置は、取付部３６２でシャッタ地板１１０に取り付けられた際に、下方に向かって走行した遮光第１羽根３４１ａの下端の停止位置よりもやや上方となるように設定されている。
【００７１】
−−−各ガイド板３５０，３６０の動きについて−−−
上述したように、レリーズ前には、遮光羽根３３１は撮影開口１１１を遮光している。このとき、遮光第１羽根３４１ａの下端は第２ガイド板３６０の当接部３６３ａと当接して、当接部３６３ａを下方に向かって押圧している。そのため、取付部３６２が弾性的に変形して、第２ガイド板３６０は下方かつ前方へ移動している。したがって、３枚の遮光羽根３４１は押圧面３６３ｂと第１ガイド板３５０のガイド部３５１の後面との間で挟持されている。
【００７２】
不図示のレリーズボタンが押圧されると、不図示の駆動レバーが回動される。これにより、遮光羽根３４１が上方に向かって走行を開始する。遮光羽根３４１が僅かに上方に移動すると、取付部３６２の弾性力によって第２ガイド板３６０が後方に移動しながら上方に移動する。すなわち、遮光羽根３４１が僅かに上方に移動するだけで、遮光羽根３４１の右側端部を前方に向かって押圧していた押圧面３６３ｂが後方へ移動して、押圧面３６３ｂと第１ガイド板３５０のガイド部３５１とによる遮光羽根３４１の挟持から遮光羽根３４１を解放する。これにより、押圧面３６３ｂで前方に押さえ込まれていたことにより遮光羽根３４１に対して作用していた摩擦抵抗がなくなるので、遮光羽根３４１は容易に上方へ移動できる。
【００７３】
遮光羽根３４１は上方に向かって走行する際に、右端が各ガイド板３５０，３６０のガイド部３５１，３６１で案内されて前後方向への移動が規制される。上述したように、当接部３５３ａの上下方向の位置が、上方に向かって走行した遮光第３羽根３４１ｃの上端の停止位置よりもやや下方となるように設定されているので、遮光羽根３４１が上方に向かって走行すると、停止直前に遮光第３羽根３４１ｃの上端部が当接部３５３ａと当接する。
【００７４】
遮光第３羽根３４１ｃの上端部が当接部３５３ａと当接すると、遮光第３羽根３４１ｃは、上端部で当接部３５３ａを上方に押圧する。
【００７５】
上端３５２ａがシャッタカバー１２０の係止部１２５に係止されているので、当接部３５３ａが遮光第３羽根３４１ｃによって上方に押圧されると、取付部３５２が弾性的に変形して、第１ガイド板３５０は上方かつ後方へ移動する。この第１ガイド板３５０の動きによって、押圧面３５３ｂは遮光羽根３４１を後方に押圧する。第１ガイド板３５０の後方へ移動量は、遮光第３羽根３４１ｃが当接部３５３ａに当接した後、停止直前位置まで走行したときに初めて３枚の遮光羽根３４１が押圧面３５３ｂと第２ガイド板３６０のガイド部３６１の上部前面との間で挟持されるように設定されている。そのため、遮光羽根３４１が上方へ走行する際、押圧面３５３ｂと第２ガイド板３６０のガイド部３６１の上部前面との間で挟持されることによる摩擦抵抗は遮光羽根３４１の停止直前まで遮光羽根３４１には作用しない。
【００７６】
しかし、遮光第３羽根３４１ｃが当接部３５３ａを上方に向かって押圧する際に、取付部３５２の弾性力による反力を受けるので、停止時の衝撃力が吸収されることとなる。また、遮光羽根３４１が停止位置まで走行すると押圧面３５３ｂと第２ガイド板３６０のガイド部３６１の上部前面との間で挟持されることによる摩擦抵抗が、遮光羽根３４１に作用する。この衝撃力の吸収作用および摩擦作用によって、遮光羽根３４１が停止された際の上下方向のバウンド（ばたつき）が抑制されるので、露光時に悪影響を及ぼすことがない。このように、第２ガイド板３６０および第１ガイド板３５０が、上方に向かって走行する遮光羽根３４１を停止させるブレーキの役割を果たす。さらに、遮光羽根３４１が後方に向かって押圧されるので、遮光羽根３４１の前後方向への振動（泳ぎ）も抑制されて、遮光羽根３４１の擦れや傷つき、摩耗粉塵の発生といった不具合が抑制される。
【００７７】
遮光羽根３４１は所定時間だけ撮影開口を開放する。その間、撮影レンズＬの透過光束が光学フィルタ２０１を介して撮像素子２５０に入射し、被写体像が撮像される。
【００７８】
撮像素子２５０による被写体像の撮像後、シャッタチャージ動作を含むリセット動作が開始される。リセット動作が開始されると、不図示の駆動モータの駆動力によって不図示の駆動レバーがレリーズ時とは反対の方向に回動される。これにより、遮光羽根３４１が下方に向かって走行を開始する。
【００７９】
遮光羽根３４１が僅かに下方に移動すると、取付部３５２の弾性力によって第１ガイド板３５０が前方に移動しながら下方に移動する。すなわち、遮光羽根３４１が僅かに下方に移動するだけで、遮光羽根３４１の右側端部を後方に向かって押圧していた押圧面３５３ｂが前方へ移動して、押圧面３５３ｂと第２ガイド板３６０とによる遮光羽根３４１の挟持から遮光羽根３４１を解放する。これにより、押圧面３５３ｂで後方に押さえ込まれていたことにより遮光羽根３４１に対して作用していた摩擦抵抗がなくなるので、遮光羽根３４１は容易に下方へ移動できる。
【００８０】
遮光羽根３４１は下方に向かって走行する際に、右端が各ガイド板３５０，３６０のガイド部３５１，３６１で案内されて前後方向への移動が規制される。上述したように、当接部３６３ａの上下方向の位置が、下方に向かって走行した遮光第１羽根３４１ａの下端の停止位置よりもやや上方となるように設定されているので、遮光第１羽根３４１ａが下方に向かって走行すると、停止直前に遮光第１羽根３４１ａの下端部が当接部３６３ａと当接して当接部３６３ａを下方に押圧する。
【００８１】
上端３６２ａがシャッタ地板１１０の係止部１１５に係止されているので、当接部３６３ａが遮光第１羽根３４１ａによって下方に押圧されると、上述したように取付部３６２が弾性的に変形して、第２ガイド板３６０は下方かつ前方へ移動する。第２ガイド板３６０の前方へ移動量は、遮光第１羽根３４１ａが当接部３６３ａに当接した後、停止直前位置まで走行したときに初めて３枚の遮光羽根３４１が押圧面３６３ｂと第１ガイド板３５０のガイド部３５１の後面との間で挟持されるように設定されている。そのため、遮光羽根３４１が下方へ走行する際、押圧面３６３ｂと第１ガイド板３５０のガイド部３５１の後面との間で挟持されることによる摩擦抵抗は遮光羽根３４１の停止直前まで遮光羽根３４１には作用しない。
【００８２】
しかし、遮光第１羽根３４１ａが当接部３６３ａを下方に向かって押圧する際に、取付部３６２の弾性力による反力を受けるので、停止時の衝撃力が吸収されることとなる。また、遮光羽根３４１が停止位置まで走行すると押圧面３６３ｂと第１ガイド板３５０のガイド部３５１の後面との間で挟持されることによる摩擦抵抗が、遮光羽根３４１に作用する。この衝撃力の吸収作用および摩擦作用によって、遮光羽根３４１が停止された際の上下方向のバウンド（ばたつき）が抑制されるので、露光後の漏光を防止できる。このように、第１ガイド板３５０および第２ガイド板３６０が、下方に向かって走行する遮光羽根３４１を停止させるブレーキの役割を果たす。さらに、遮光羽根３４１が前方に向かって押圧されるので、遮光羽根３４１の前後方向への振動（泳ぎ）も抑制されて、遮光羽根３４１の擦れや傷つき、摩耗粉塵の発生、漏光といった不具合が抑制される。なお、遮光羽根３４１の停止時の衝撃力を効率よく吸収するように、取付部３６２の弾性力による反力が適宜設定されていることが望ましい。
【００８３】
第２の実施の形態のデジタルスチルカメラでは、第１の実施の形態の作用効果に加えて、次の作用効果を奏する。
（１）  １組の遮光羽根部３４０が設けられたフォーカルプレーンシャッタ３００に対して、遮光羽根３４１の動きによって、遮光羽根３４１を光軸方向に向かって押さえつけるガイド板３５０，３６０を設けた。これにより、シャッタ秒時をいわゆる電子シャッタで制御する、シャッタ羽根を１組しか持たない簡易的なメカニカルシャッタ（フォーカルプレーンシャッタ）でも、第１の実施の形態における作用効果と同様の作用効果を奏する。
【００８４】
（２）  遮光羽根３４１の上方および下方へ向かうそれぞれの走行の停止時に各ガイド板３５０，３６０で遮光羽根３４１を光軸方向に押圧するように構成したので、遮光羽根３４１が上下のどちらに移動する場合でもばたつきや泳ぎが抑制され、遮光羽根３４１の耐久性が向上する。
【００８５】
−−−変形例−−−
（１）  上述の説明では、取付部１５２，１６２は湾曲した形状を呈しているが、本発明はこれに限定されず、取付部１５２，１６２が必ずしも湾曲している必要はない。中間板１０１に取り付けられた各ガイド板１５０，１６０が、遮光羽根１３１，１４１によって上下方向に移動された際に、各ガイド板１５０，１６０を光軸方向に沿って移動するように構成されていればよく、取付部１５２，１６２の形状は上述した形状に限定されない。取付部３５２，３６２についても同様である。
【００８６】
（２）  上述の説明では、先幕遮光羽根１３１および後幕遮光羽根１４１のそれぞれについて、レリーズ時の遮光羽根１３１，１４１の停止時に、遮光羽根１３１，１４１を光軸方向に押圧するように構成しているが、本発明はこれに限定されない。たとえば、レリーズ時の遮光羽根１３１，１４１の停止時に、先幕遮光羽根１３１および後幕遮光羽根１４１のいずれか一方のみを光軸方向に押圧するように構成してもよい。なお、レリーズ時の遮光羽根１３１，１４１の停止時に、先幕遮光羽根１３１および後幕遮光羽根１４１のいずれか一方のみを光軸方向に押圧する場合、先幕遮光羽根１３１について押圧するように構成した方が効果的である。
【００８７】
（３）  上述した第２の実施の形態では、遮光羽根３４１が上方へ移動して停止する際には第１ガイド板３５０で遮光羽根３４１を光軸方向に押圧するように構成している。また、遮光羽根３４１が下方へ移動して停止する際には第２ガイド板３６０で遮光羽根３４１を光軸方向に押圧するように構成している。しかし、本発明はこれに限定されない。たとえば、図１３に示すように、遮光羽根３４１の移動方向にかかわらず、停止する際には１つのガイド板３７０で光軸方向に押圧するように構成してもよい。
【００８８】
図１３（ａ）〜（ｃ）は、ガイド板３７０を配設したフォーカルプレーンシャッタ４００を右側から見た断面模式図である。ガイド板３７０は、ガイド部３７１と、取付部３７２と、上部当接部３７３Ｕと、下部当接部３７３Ｄとを備えており、遮光羽根３４１の後方に配設されている。ガイド板３７０は取付部３７２によってシャッタ地板１１０に取り付けられており、遮光羽根３４１の上端部分や下端部分が各当接部３７３Ｕ、３７３Ｄのいずれにも当接していないときには、シャッタ地板１１０の後面から離間するようにガイド部３７１を支持している。
【００８９】
図１３（ｂ）に示すように、遮光第１羽根３４１ａの下端部分が下側当接部３７３Ｄに当接して下側当接部３７３Ｄを下方に押圧すると、取付部３７２が弾性的に変形して、ガイド部３７１を下方かつ前方に移動させる。その結果、ガイド部３７１が遮光羽根３４１を前方に押圧して、シャッタ地板１１０の後面との間で遮光羽根３４１を挟持する。
【００９０】
同様に、図１３（ｃ）に示すように、遮光第３羽根３４１ｃの上端部分が上側当接部３７３Ｕに当接して上側当接部３７３Ｕを上方に押圧すると、取付部３７２が弾性的に変形して、ガイド部３７１を上方かつ前方に移動させる。その結果、ガイド部３７１が遮光羽根３４１を前方に押圧して、シャッタ地板１１０の後面との間で遮光羽根３４１を挟持する。このように構成することで、上述した作用効果に加え、部品点数を削減してコストを低減できるという作用効果を奏する。
【００９１】
（４）  上述の説明では、遮光羽根の上下方向への動きによって、各ガイド板１５０，１６０，３５０，３６０，３７０で遮光羽根を光軸方向に押圧するように構成しているが、本発明はこれに限定されない。たとえば、図１４の概念図に示すように、遮光羽根３４１の動きによって、押圧レバー３８０を回動させて、遮光羽根３４１を光軸方向に押圧するようにしてもよい。
【００９２】
押圧レバー３８０は、回動軸３８５を中心に回動可能に設けられたレバーであり、当接部３８３ａと押圧部３８３ｂとを備えている。押圧レバー３８０は、バネ３８６によって図示反時計方向に付勢されている。遮光羽根３４１が下方に向かって走行すると、矢印ｄ１で示すように、遮光第１羽根３４１ａの下端部が押圧レバー３８０の当接部３８３ａに当接して当接部３８３ａを下方に押圧する。その結果、バネ３８６の付勢力に抗して押圧レバー３８０が回動軸３８５を中心に図示時計方向に回動する（矢印ｄ２）。この押圧レバー３８０の図示時計方向への回動により、矢印ｄ３で示すように、押圧部３８３ｂが遮光第１羽根３４１ａを図示右側に向かって押圧する。
【００９３】
その後、遮光羽根３４１が上方に向かって走行を開始すると、バネ３８６の付勢力によって押圧レバー３８０が回動軸３８５を中心に図示反時計方向に回動するので、遮光第１羽根３４１ａ押圧していた押圧部３８３ｂが図示左側に退避する。その結果、遮光第１羽根３４１ａは、押圧部３８３ｂの影響を受けることなく、上方へ移動可能となる。このように構成することで、上述した作用効果と同様の作用効果を奏する。
【００９４】
（５）  上述の説明では、ガイド部１５１の下端部分に押圧部１５３が設けられているため、ガイド部１５１と、押圧面１５３ｂとは同一平面上に位置することとなっているが、本発明はこれに限定されない。たとえば、ガイド部１５１に対して、押圧面１５３ｂが前方または後方にオフセットされて、ガイド部１５１と同一平面上に位置していなくてもよい。他のガイド板１６０，３５０，３６０，３７０についても同様である。
【００９５】
（６）  上述の説明では、先幕遮光羽根部１３０が中間板１０１の前方に、後幕遮光羽根部１４０が中間板１０１の後方に配設されているが、先幕遮光羽根部１３０および後幕遮光羽根部１４０の配設位置は入れ替わっていてもよい。この場合、各ガイド板１５０，１６０の前後の位置も入れ替わる必要がある。なお、中間板１０１は省略してもよい。
【００９６】
（７）  上述した第１の実施の形態では、取付部１５２の弾性力の強弱や先幕ガイド板１５０の質量については特に言及していないが、先幕遮光羽根１３１の走行速度や材質、質量などに応じて取付部１５２の弾性力の強弱や先幕ガイド板１５０の質量を適宜設定するようにしてもよい。これにより、先幕ガイド板１５０によるブレーキ効果およびバウンド防止効果を適切化できる。他のガイド板１６０，３５０，３６０，３７０についても同様である。
【００９７】
（８）  上述の説明では特に言及していないが、各ガイド板１５０，１６０，３５０，３６０，３７０の遮光羽根と光軸方向に接触する面に、摩擦係数の高い部材の貼り付けまたは塗布等を行うようにしてもよい。
【００９８】
（９）  上述の説明では、遮光羽根１３１，１４１の、アーム１３２，１３３，１４２，１４３が取り付けられていない右側端部をガイド板１５０，１６０によって光軸方向に押圧するように構成したが、本発明はこれに限定されない。たとえば、アーム１３２，１３３，１４２，１４３を光軸方向に押圧するように構成してもよい。
（１０）  上述した各実施の形態および変形例は、それぞれ組み合わせてもよい。
【００９９】
なお、本発明は、上述した実施の形態のものに何ら限定されず、撮影開口に入射する被写体光の光軸と略直交する方向に走行して、撮影開口を開放および遮光するシャッタ羽根と、露光時のシャッタ羽根の動きによってシャッタ羽根を光軸方向に向かって押さえつけ、光軸方向に向かって押さえつけたシャッタ羽根を復帰時のシャッタ羽根の動きによって解放する押さえつけ部材とを備える各種構造のシャッタ装置、および、このシャッタ装置を備えるカメラを含むものである。
【図面の簡単な説明】
【０１００】
【図１】本発明を適用したデジタルスチルカメラを側面から見た断面図である。
【図２】フォーカルプレーンシャッタ１００をカメラボディＣＢの斜め後方から見たときの分解図である。
【図３】先幕ガイド板１５０および先幕遮光羽根部１３０のみを示した分解図である。
【図４】後幕ガイド板１６０および後幕遮光羽根部１４０のみを示した分解図である。
【図５】レリーズ前のフォーカルプレーンシャッタ１００の内部を前方から見た図である。
【図６】図６は、右側から見た、先幕ガイド板１５０の下部近傍を模式的に示した図である。
【図７】先幕遮光羽根１３１が最も下方まで移動して停止したときのフォーカルプレーンシャッタ１００の内部を前方から見た図である。
【図８】レリーズ前のフォーカルプレーンシャッタ１００の内部を前方から見た図である。
【図９】レリーズ後リセット開始前のフォーカルプレーンシャッタ１００の内部を前方から見た図である。
【図１０】右側から見た、後幕ガイド板１６０の下部近傍を模式的に示した図である。
【図１１】第２の実施の形態のフォーカルプレーンシャッタ３００をカメラボディＣＢの斜め後方から見たときの分解図である。
【図１２】遮光羽根３４１が下方に向かって走行して停止する直前のフォーカルプレーンシャッタ３００を左側から見たときの断面模式図である。
【図１３】変形例を示す図である。
【図１４】変形例を示す図である。
【符号の説明】
【０１０１】
１００，３００，４００  フォーカルプレーンシャッタ  
１３０  先幕遮光羽根部                  １３１  先幕遮光羽根
１４０  後幕遮光羽根部                  １４１  後幕遮光羽根
１５０  先幕ガイド板
１５１，１６１，３５１，３６１，３７１  ガイド部
１５２，１６２，３５２，３６２，３７２  取付部
１５３，１６３，３５３，３６３  押圧部
１６０  後幕ガイド板                    ３４０  遮光羽根部
３４１  遮光羽根                        ３５０  第１ガイド板
３６０  第２ガイド板                    ３７０  ガイド板
３８０  押圧レバー
【図１】
2008145651.tif 000003
【図２】
2008145651.tif 000004
【図３】
2008145651.tif 000005
【図４】
2008145651.tif 000006
【図５】
2008145651.tif 000007
【図６】
2008145651.tif 000008
【図７】
2008145651.tif 000009
【図８】
2008145651.tif 000010
【図９】
2008145651.tif 000011
【図１０】
2008145651.tif 000012
【図１１】
2008145651.tif 000013
【図１２】
2008145651.tif 000014
【図１３】
2008145651.tif 000015
【図１４】
2008145651.tif 000016